(57)【要約】【課題】一般的に、足腰の弱くなった病弱者を、床面等から立ち上げて移動しようとする場合、介助者が病弱者の身体を持ち上げつつ病弱者を、立ち上げる必要があり、介助者にかなりの負担を強いるものであった。【解決手段】ハンドル部と椅子取り付け部とこれらとの間に形成した折曲部を有する枠体に、病弱者が着座できる  椅子をこの椅子取り付け部に係着して、介助者の力でハンドル部を駆動することにより、折曲部を支点とした梃子作用でこの椅子を上下方向に移動し得るようにした、また、病弱者が着座できる椅子を上下移動の略中段で固定し車輪を働かせて床面上を水平に移動出来るようにした。【選択図】図１
2005278903.tif 000002
【特許請求の範囲】
【請求項１】
枠体の一部に、力点となるハンドル部と、支点となる支点部と、作用点となる椅子取り付け部をそれぞれ設け、病弱者が着座できる椅子を  この椅子取り付け部に係着して、介助者の力でハンドル部を駆動することにより、支点部を支点とした梃子作用でこの椅子を上下方向に移動し得るようにしたことを特徴とする介助補助具。
【請求項２】
病弱者が着座する椅子の座面は、上下方向に移動の略上端で静止できるよう、介助者が操作できる車輪を有するストッパー手段を設けた請求項１に係わる介助補助具。
【請求項３】
病弱者が着座する椅子の座面は、上下方向に移動の略中段で固定できるよう、介助者が操作できるストッパー手段を設けた請求項１および請求項２に係わる介助補助具。
【請求項４】
病弱者が着座する椅子の座面は、上下方向に移動の略中段で固定できる手段を設けると共に、座面を上下方向に移動の略中段で固定したとき、本体の水平移動を容易にするため、本体と床面との接触部には、複数個の車輪を配設したことを特徴とする請求項１に係わる介助補助具。
【発明の詳細な説明】
【技術分野】
【０００１】
本発明は、足腰の弱くなった病弱者や高齢者の床面等からの立ち上がり及び移動を補助するための介助具に関するものである。
【背景技術】
【０００２】
一般的に、足腰の弱くなった病弱者を、床面等から立ち上げようとする場合、介護者が病弱者の身体を持ち上げつつ病弱者を、立ち上げる必要があった、また、病弱者を歩行させる場合も両手を支えるなりの介添えが必要で、介護者にかなりの負担を強いるものであった。この課題を解決する従来の技術として、特許文献１があるので、図７より説明すると、内部に空気を送り込むことが出来る着座クッション７０に着座した病弱者２９を、リモコンのスイッチボタンを押すとコンプレッサーはこの着座クッションに圧縮空気を送り込み、ふいご状に膨張させ病弱者２９の腰を徐々に持ち上げる、病弱者の腰が所定の高さまで達成すると、前方に自身の体重を移動しつつ腰を伸ばすことにより、立ち上がることが出来る。
【０００３】
【特許文献１】特開２０００-２２５１４９号公報
【発明の開示】
【発明が解決しようとする課題】
【０００４】
しかし、上記従来の技術にあっては、内部に圧縮空気を収容可能な着座部や、空気圧縮をさせるためのコンプレッサー、また、このコンプレッサーを駆動させるためのエネルギー源等が必要になり、装置がかなり大掛かりで高価なものとなり、使用場所も電源が近くにある等の制限される課題がある。  
【課題を解決するための手段】
【０００５】
本発明は、上記課題を解決するため次のような手段を有する、椅子を枠体の椅子取り付け部に枢着して、介助者の力でハンドル部を駆動することにより、折曲部を支点とした梃子作用でこの椅子を上下方向に移動し得るようにした。また病弱者が着座する椅子の座面は、上下方向に移動の略上端で静止できるよう、介助者が操作できるストッパー手段を設けた。また、  病弱者が着座する椅子の座面は、上下方向に移動の略中段で固定できるよう、介助者が操作できるストッパー手段を設けた、また、病弱者が着座する椅子の座面は、上下方向に移動の略中段で固定できる手段を設けると共に、座面は、上下方向に移動の略中段で固定したとき、本体の水平移動を可能にするため、本体と床面との接触部には、複数個の車輪を配設した。
【発明の効果】
【０００６】
本発明の介助補助具は、足腰の弱くなった病弱者を、床面等から立ち上げ、かつ移動しようとする目的を、梃子作用と車輪を利用した簡単な構成で、介助者があまり力を必要とせず、かつ、無理な姿勢をとることなく目的を達成できる効果がある。
【発明を実施するための最良の形態】
【０００７】
足腰の弱くなった病弱者を、床面等から立ち上げかつ移動しようとする目的を、梃子作用と車輪を利用して介助者があまり力を必要とせずかつ、手軽に使用できる形態の介助補助具。
【実施例１】
【０００８】
図１は、本発明装置の１実施例の実使用状態を示す一部断面をとった側面図であって、１は、外形２５．４ｍｍ、肉厚２ｍｍ程度のアルミニウム合金管を加工して形成した図４にも示す枠体であり、ハンドル部３１とこれに続く折曲部１７を有する左右対称形のｂ状側枠４、このｂ状側枠４同士に架橋するように補強棒３４を溶接で固着している、３５は椅子取り付け部になる椅子取り付け棒であり両端にネジ穴５２を形成した直径約８ｍｍの鋼鉄棒をｂ状側枠４に穿設した貫通孔５１に固嵌し両端部をｂ状側枠４端部より延在させて後述する可動軸２１の回転軸となる、５３，５４はｂ状側枠４の両側端に穿設した孔でコ形のラッチ受け棒４７を固嵌している、４８はｂ状側枠４の両端に穿設したステイ板６０枢着用の孔である、５５は半円形の中央に孔５６を有する支持板でハンドル部３１の近傍に溶接で固着されている。
【０００９】
２６は、病弱者が着座できる合成樹脂で作られた椅子で  座面２５と背もたれ５とアームレスト２７により成り、この座面２５の下面には、断面が半円状の枢支部５７を有している。
次に、病弱者２９が着座できる椅子２６を４節のリンク機構により係着する機構を説明すると、１４は下部摺動管３６と支柱３７と上部摺動管３８より成り、背もたれ５の下端部には２個の環状の枢支部３２の貫通孔３３に固嵌された枢支軸１８に滑嵌され、この下部摺動管３６は節部Bを形成する。１３はエ形の連結管Bであり下部摺動管３９と位置決め孔４０を穿設した支柱５８と上部摺動管４１より成りこの上部摺動管は補強棒３４に滑嵌されて節部Aを形成する。１１は一端に径大部５８他端にリング溝４３を有する回動軸で車輪B１２と連結管A１４の下部摺動管３６と、連結管B１３の下部摺動管３９と車輪A５９をそれぞれ滑嵌し、はずれ防止のための止め輪４２をリング溝４３に固嵌して、この下部摺動管３６が節部Cを形成する。次に座面２５の下面には、断面が半円状の枢支部５７を椅子取り付け部３５に枢着して椅子取り付け部３５が節部Dを形成し図５に模擬的に示すような節部Ａ節部Ｂ節部Ｃ節部Ｄを持つ４節のリンク機構で椅子２６が係着される。
【００１０】
次に、左右対称に形成したストッパー３０を説明すると、２１は板金製の可動軸であり一端部に車輪８をピン９で枢着した車軸受け１０を固着し、他端部は細孔２２を穿設していて、椅子取り付け棒３５の端部に遊嵌して取り付けネジ２３を外端部のネジ穴３２に螺合して、この可動軸２１は枢支される、また、この可動軸２１の略中央部には細孔２０を穿設している、３は金属丸棒をU字形に曲げ加工して形成した操作レバーであり、その両足略中央部には板金製のラッチ２８を固着している、この両足部を適宜の摩擦を有してラッチ受け棒４７に滑嵌した後その先端を細孔２０に通した後、略環状に折り曲げて組み立てを完了する。      
【００１１】
次に、ステイ機構を説明すると、６０は板金を、く形に成したステイ板であり一面には細孔６１とワイヤ取り付け孔６３を穿孔していて、他面は突片６４を有し鋲６５をこの細孔６１と貫通孔４８に挿入後、加締めることにより、このステイ板６０はｂ状側枠４に枢着される、５７は支持板５５に枢着される操作レバーで  一端部にワイヤ取り付け孔５９を穿孔している、５８はこのワイヤ取り付け孔５９と６３同士間に配設された自転車のブレーキ機構で多用されている、フレキシブルワイヤである、なお、図１，２，３中２９は病弱者、２は介助者６６は床面や畳面を示す。
【００１２】
次に図１、図２により作用を説明すると、足腰が弱くなって自力で立ち上がることの出来ない病弱者２９を、座面２５上に着座させた後、介助者２がハンドル部３１を把持して円弧を描くように手前に駆動することにより、ハンドル部３１を作用点、折曲部１７を支点、椅子取り付け部３５を作用点とする梃子作用でこの椅子２６を上方向に移動することが出来る、なお、この際の支点の位置は一定ではなく折曲部１７の、曲げ曲率に応じて元１９から先１５に亘って次々と変わるので介助者２の力の加え難い初期には比較的に軽く持ち上げられ、介助者２の体重が作用させ易く力の加え易い後期には比較的重くなる、また、椅子取り付け部３５に枢着している椅子２６はエ形の連結管A14を含む４節リンク機構で支えられているため、図５のように節部Bよりエ形の連結管A14で押し上げられるので、節部、Cと節部Ａを回動軸として略平行状態を保ちつつ上方に移動し得る。
【００１３】
図2は椅子２６の座面２５を略上端で静止させた状態を示し、この状態で、介助者２がストッパー操作レバー３０のハンドル部３を操作して矢印Fの方向にラッチ２８がラッチ受け棒４７に嵌合するまで押圧することにより、可動軸２１の細孔２０に力が作用して、この可動軸２１は椅子取り付け部３５を中心として図２に示す角度回動する、この際車輪８は床面６６上を回転しながら移動するので摩擦が少なくなり軽い力で駆動できる、また車輪８と床面６６との当接位置は着座した病弱者２９を含めた椅子２６全体の重心よりも病弱者２９の足側に変わるので椅子２６の座面２５を略上端（床面６６より約３５cmの高さ）で安定して静止できる。病弱者２９はこの位置から自力で両手を使って椅子２６のアームレスト２７を押し下げながら立ち上がることが出きる、また車椅子などにも移乗できる、自力での車椅子などへの移乗ができない病弱者２９は介助者２の補助を受けることも出来る。なお、介助者２がハンドル部３１を上方向に駆動する際、梃子作用で病弱者２９の体重の３分の１程度の力で駆動出来るよう梃子の寸法を決めている。
【００１４】
次に、上記の動作と逆に、立っている病弱者２９を床面６６等に座らせることにも本補助具は利用できる、図２の状態のように椅子２６の座面２５を略上端して静止させ病弱者２９を座面２５に着座させた後、介助者２がストッパー操作レバー３０のハンドル部３を操作して矢印Fと反対方向にラッチ２８がラッチ受け棒４７の嵌合を解除して、さらに牽引することにより、可動軸２１の細孔２０に力が作用して、この可動軸は椅子取り付け部３５を中心として図２に示す時とは逆方向にG度回動する、次に、ハンドル部３１を上方向に駆動することにより折曲部１７を支点とした梃子作用で、この椅子２６を図１に示すように下方向に最下端まで移動し病弱者２９は床面６６に座ることが容易に行える。
【００１５】
次に、病弱者２９を移動する方法を図2図３で説明すると、図２の状態のように椅子２６の座面２５を略上端して静止させ病弱者２９を座面２５に着座させた後、ラッチ２８がラッチ受け棒４７の嵌合を解除しない状態で、介助者２がハンドル部３１を上方向に駆動することにより車輪８を支点とした梃子作用でこの椅子２６を図３に示すように略中段まで移動したあと、介助者２が支持板５５に枢着される操作レバー５７を前方（矢J方向）に倒すことにより、フレキシブルワイヤ５８に力が伝達されｂ状側枠４に枢着されるステイ板６０が回動して、突片６４が連結管A１３の位置決め孔４０に嵌合することにより椅子の座面２５は図３に示す上下方向に移動の略中段で固定できる、この状態で、回動軸１１に枢着された車輪A５９、B１２と可動軸２１の一端に枢着した車輪８は、病弱者２９が着座する椅子２６を支えながら床面６６上を回動して病弱者２９の水平移動を可能にする。
【産業上の利用可能性】
【００１６】
車輪にブレーキ機構を取付けることによって、屋外でも使用可能な用途にも適用できる。
【図面の簡単な説明】
【００１７】
【図１】介助補助具の構成と実施方法を示した一部断面図を有する説明図である。
【図２】介助補助具の構成と実施方法を示した一部断面図を有する説明図である。
【図３】介助補助具の構成と実施方法を示した一部断面図を有する説明図である。
【図４】介助補助具構成部品の枠体を示す斜視図である。
【図５】介助補助具構成部品の椅子の移動状態を示す模式図である。
【図６】連結管部材を示す斜視図である
【図７】従来例の構成と実施方法を示した説明図である。
【符号の説明】
【００１８】
１  枠体、２５  座面、２６  椅子、３１  ハンドル部、１７  折曲部、３５椅子取り付け部、３０  ストッパー、２８ラッチ、
６０  ステイ板。
【図１】
2005278903.tif 000003
【図２】
2005278903.tif 000004
【図３】
2005278903.tif 000005
【図４】
2005278903.tif 000006
【図５】
2005278903.tif 000007
【図６】
2005278903.tif 000008
【図７】
2005278903.tif 000009